(57)【要約】      （修正有）【課題】二本の細長い部材を、その一方を他方に対して直交状態に接続するとき、一方の部材を、他方の部材の長さ方向における所望の位置に接続することができ、而も所望の位置に容易に素早く接続することができるようにする。【解決手段】支柱１の側面に長さ方向に沿った凹部２を設け、開放側の部分に突起３、３を形成する。棚板を受ける部材４は、中空状になし、側面に棚板の受け片５を突設し、切欠孔６を設ける。連結部材９は、筒状体１０と、先端部に側方への突起１１、１１を形成すると共に側面に円錐形の凹部１２を設け、筒状体１０内に軸方向移動自在に嵌入した作用杆１３螺進するように螺装し、先端部１４ａを円錐形となすと共にその先端部を作用杆１３の凹部１２内に臨ませたネジ１４と、筒状体１０内における作用杆１３の後端側に縮設した拡圧ばね１５とをもって構成する。【選択図】図５
0003122684.tif 000002
【実用新案登録請求の範囲】
【請求項１】
二本の細長い部材を、その一方を他方に対して直交状態に接続する部材の接続構造において、一方の部材を中空状になすと共に、端部に、前記一方の部材内に嵌合するに適した大きさ及び形状の筒状体と、先端部に側方への突起を形成すると共に後端近傍の側面に円錐形の凹部を設け、前記筒状体内に軸方向移動自在に嵌入した作用杆と、前記筒状体に、前記作用杆と直交方向に螺進するように螺装し、先端部を円錐形となすと共に該円錐形の先端部を前記作用杆の凹部内に臨ませたネジと、前記筒状体内における前記作用杆の後端側に縮設し、作用杆を常時その先端部が筒状体の端面から突出する方向に移動性向を附与する拡圧ばねとからなる連結部材を、その作用杆の先端部を突出させて固定し、更に側面に前記連結部材のネジが露出するように切欠孔を設ける一方、他方の部材の側面に、前記連結部材における作用杆先端の突起が入り込む長さ方向に沿った凹部を設けると共に、該凹部の開放側の部分に、前記連結部材における作用杆先端の突起と筒状体の端面との間に入り込む内向きの突起を形成してなる部材の接続構造。
【考案の詳細な説明】
【技術分野】
【０００１】
本考案は部材の接続構造に関し、更に詳細には、二本の細長い部材を、その一方を他方に対して直交状態に接続する部材の接続構造に係わる。
【背景技術】
【０００２】
例えば、４本の支柱の頂部に方形の載受板を固定した金属製の物品載受台にあっては、高さ方向の中間に棚板を配置する場合、先ずこの棚板を受ける部材を支柱に取り付ける必要がある。
【０００３】
そして、斯かる棚板を受ける部材の取り付けは、例えば支柱にその高さ方向に沿って等間隔に凹部や切欠きを設け、該凹部や切欠きにピンやフック状の棚板を受ける部材の一部を嵌入したり掛けたりして取り付けている。
【０００４】
しかし、斯かる従来の取り付け方では、棚板の位置は支柱に設けた凹部や切欠きによって規制され、複数の棚板を上下に配置する場合に、微妙にその間の間隔を調整することができない。
【０００５】
また、例えば、間仕切りにあっては、一般的に平行して立設した２本の支柱間に仕切り材を張設する構成となっているが、仕切り材を一枚の部材で構成しているために、意匠の面において今一つの感を否めなかった。即ち、支柱間に張設する仕切り材として、例えば上側に透明な材質のものを用いる一方、下側に不透明なものを用い、然も夫々の着色を異なるようにすれば、見栄えという点で一段と向上すると共に、それを使用する場所によりマッチしたものを作ることが可能となる。そこで、従来この点の改善が望まれていた。
【考案の開示】
【考案が解決しようとする課題】
【０００６】
本考案は上記の点に鑑みなされたものであって、二本の細長い部材を、その一方を他方に対して直交状態に接続するとき、一方の部材を、他方の部材の長さ方向における所望の位置に接続することができ、而も所望の位置に容易に素早く接続することができるようになし、もって上記従来の問題点を悉く解消することができるようになした部材の接続構造を提供せんとするものである。
【課題を解決するための手段】
【０００７】
而して、本考案の要旨とするところは、二本の細長い部材を、その一方を他方に対して直交状態に接続する部材の接続構造において、一方の部材を中空状になすと共に、端部に、前記一方の部材内に嵌合するに適した大きさ及び形状の筒状体と、先端部に側方への突起を形成すると共に後端近傍の側面に円錐形の凹部を設け、前記筒状体内に軸方向移動自在に嵌入した作用杆と、前記筒状体に、前記作用杆と直交方向に螺進するように螺装し、先端部を円錐形となすと共に該円錐形の先端部を前記作用杆の凹部内に臨ませたネジと、前記筒状体内における前記作用杆の後端側に縮設し、作用杆を常時その先端部が筒状体の端面から突出する方向に移動性向を附与する拡圧ばねとからなる連結部材を、その作用杆の先端部を突出させて固定し、更に側面に前記連結部材のネジが露出するように切欠孔を設ける一方、他方の部材の側面に、前記連結部材における作用杆先端の突起が入り込む長さ方向に沿った凹部を設けると共に、該凹部の開放側の部分に、前記連結部材における作用杆先端の突起と筒状体の端面との間に入り込む内向きの突起を形成してなる部材の接続構造にある。
【考案の効果】
【０００８】
本考案によれば、二本の細長い部材を、その一方を他方に対して直交状態に接続するとき、一方の部材を、他方の部材の長さ方向における所望の位置に接続することができる。したがって、例えば、４本の支柱の頂部に方形の載受板を固定した金属製の物品載受台において、高さ方向の中間に複数の棚板を配置するとき、上下の棚板の間隔を自由に調整することが可能となるものである。そしてまた、連結部材の固定と解除はネジを回すだけの簡単な作業で済むから、上下の位置をずらすことも容易にできるものである。
【０００９】
また、平行して立設した２本の支柱間に仕切り材を張設する間仕切りにあっては、２本の支柱間にわたって、その高さ方向の所望の位置に、上下２枚の板の縁を支える部材を取り付けることができるものである。したがって、例えば上側に透明な材質のものを用いる一方、下側に不透明なものを用い、然も夫々の着色を異なるようにすれば、見栄えという点で一段と向上すると共に、それを使用する場所によりマッチしたものを作ることが可能となるものである。
【考案を実施するための最良の形態】
【００１０】
本考案を実施するための最良の形態は、一方の部材を中空状になすと共に、端部に、前記一方の部材内に嵌合するに適した大きさ及び形状の筒状体と、先端部に側方への突起を形成すると共に後端近傍の側面に円錐形の凹部を設け、前記筒状体内に軸方向移動自在に嵌入した作用杆と、前記筒状体に、前記作用杆と直交方向に螺進するように螺装し、先端部を円錐形となすと共に該円錐形の先端部を前記作用杆の凹部内に臨ませたネジと、前記筒状体内における前記作用杆の後端側に縮設し、作用杆を常時その先端部が筒状体の端面から突出する方向に移動性向を附与する拡圧ばねとからなる連結部材を、その作用杆の先端部を突出させて固定し、更に側面に前記連結部材のネジが露出するように切欠孔を設ける一方、他方の部材の側面に、前記連結部材における作用杆先端の突起が入り込む長さ方向に沿った凹部を設けると共に、該凹部の開放側の部分に、前記連結部材における作用杆先端の突起と筒状体の端面との間に入り込む内向きの突起を形成することにある。
【実施例】
【００１１】
以下、本考案の実施例について説明する。
図１は本考案を実施した物品載置台の部分拡大斜視図、図２は連結部材の斜視図、図３は連結部材の側面図、図４は連結部材の平面図、図５は図３中Ａ−Ａ線断面図、図６は図３中Ｂ−Ｂ線断面図、図７は作用説明図である。
【００１２】
図中、１は金属製の物品載置台を構成する支柱である。また、該支柱１の側面には、後記連結部材における作用杆先端の突起が入り込む長さ方向に沿った凹部２を設けている。そして、該凹部２の開放側の部分には、後記連結部材における作用杆先端の突起と筒状体の端面との間に入り込む内向きの突起３、３を形成している。
【００１３】
４は金属製の物品載置台を構成する棚板を受ける部材である。該棚板を受ける部材４は、中空状になし、側面には棚板の受け片５を突設すると共に、後記連結部材におけるネジが露出するように切欠孔６を設けている。更にまた、本実施例においては、該棚板を受ける部材４を、間仕切りにおける上下の板の縁を支える部材としても用いることができるように、その上下の面に凹部７、８を設けている。
【００１４】
９は前記棚板を受ける部材４の端部に嵌入、固定する連結部材である。そして、該連結部材９は、前記棚板を受ける部材４の中空状の端部に嵌合するに適した大きさ及び形状（本実施例では軸断面角筒状）の筒状体１０と、先端部に側方への突起１１、１１を形成すると共に後端近傍の側面に円錐形の凹部１２を設け、前記筒状体１０内に軸方向移動自在に嵌入した作用杆１３と、前記筒状体１０に、前記作用杆１３と直交方向に螺進するように螺装し、先端部１４ａを円錐形となすと共に該円錐形の先端部１４ａを前記作用杆１３の凹部１２内に臨ませたネジ１４と、前記筒状体１０内における前記作用杆１３の後端側に縮設し、作用杆１３を常時その先端部が筒状体１０の端面から突出する方向に移動性向を附与する拡圧ばね１５とをもって構成している。
【００１５】
また、本実施例においては、ネジ１４を筒状体１０に螺装するについて、筒状体１０の一部を長さ方向と直交する方向に切欠し、該切欠部１０ａ内に、中央部に設けた透孔１６に前記作用杆１３を摺動自在に貫挿し、側面にネジ螺合孔１７を刻設したネジ受け体１８を固定することによって行っている。
【００１６】
更にまた、本実施例においては、拡圧ばね１５として板ばねを丸めたものを用いたが、コイルばねを用いるようにしてもよいものである。尚、その他、図中１９はネジ１４を回すための部品である。
【００１７】
次に、本実施例の作用について説明する。
支柱１に棚板を受ける部材４を接続するには、先ず、連結部材９のネジ１４を後退させた状態、即ち、図７に示した状態において、棚板を受ける部材４の端部に固定した連結部材９における作用杆１３先端の突起１１、１１を、支柱１の凹部２内に入れ込む。これは支柱１の凹部２の上又は下の開放部から入れ込む。そして、次に棚板を受ける部材４を支柱１の高さ方向の適宜の位置にずらした後、ネジ１４を回して螺進させると、ネジ１４の円錐形の先端部１４ａは、作用杆１３の円錐形の凹部１２の傾斜する壁面に擦れながらその中心の最深部に向けてずれる。これに伴い作用杆１３は拡圧ばね１５の作用力に抗して後退させられる。即ち、ネジ１４が螺進して、その先端部１４ａが作用杆１３の凹部１２の中心の最深部に達すると、図７における符号Ｓで示す距離だけ作用杆１３は後退する。そしてこれにより、該作用杆１３先端の突起１１、１１が、筒状体１０の端面との間に、支柱１の凹部２の開放側の部分に形成した内向きの突起３、３を挟み付けるものである。以上の作用によって棚板を受ける部材４が支柱１に直交状態に接続されるものである。そして、その後棚板の受け片５上に棚板（図示せず。）を載せるものである。
【００１８】
また、棚板を受ける部材４の支柱１の高さ方向における位置をずらす場合には、一旦ネジ１４を後退方向に回して緩め、適宜の位置に移動させた後再びネジ１４を回して前進させればよい。
【００１９】
また、本考案を間仕切りに利用する場合には、その支柱を本実施例における支柱１と同様に構成し、該支柱に前記の如き操作によって棚板を受ける部材４を取り付け、該棚板を受ける部材４の上下の面に設けた凹部７、８に仕切り材として上下の板（図示せず。）の縁を嵌め込むものである。
【図面の簡単な説明】
【００２０】
【図１】本考案を実施した物品載置台の部分拡大斜視図である。
【図２】連結部材の斜視図である。
【図３】連結部材の側面図である。
【図４】連結部材の平面図である。
【図５】図３中Ａ−Ａ線断面図である。
【図６】図３中Ｂ−Ｂ線断面図である。
【図７】本考案の作用説明図である。
【符号の説明】
【００２１】
１  支柱
２  凹部
３、３  突起
４  棚板を受ける部材
６  切欠孔
９  連結部材
１０  筒状体
１１、１１  突起
１２  円錐形の凹部
１３  作用杆
１４  ネジ
１４ａ  ネジの円錐形の先端部
１５  拡圧ばね
【図１】
0003122684.tif 000003
【図２】
0003122684.tif 000004
【図３】
0003122684.tif 000005
【図４】
0003122684.tif 000006
【図５】
0003122684.tif 000007
【図６】
0003122684.tif 000008
【図７】
0003122684.tif 000009